(57)【要約】【課題】映像ソース領域とレターボックス領域との境界付近における画質の劣化を低減し、画質の向上を図ることができる画像復号装置を提供することを目的とする。【解決手段】画素ブロック位置情報及び領域境界情報を用いて、画素ブロックＭＢ内に、主画像表示領域２００Ａ及び副画像表示領域２００Ｂが含まれているか否かを判定し、主画像表示領域が含まれていると判定された場合には、主画像表示領域に対して主画像コンシールメント処理を実行し、画素ブロック内に、副画像表示領域が含まれていると判定された場合には、副画像表示領域に対して副画像コンシールメント処理を実行する。【選択図】図１
2008118334.tif 000002
【特許請求の範囲】
【請求項１】
画素ブロック単位で符号化された符号化画像データの各画素ブロックにエラーが発生しているか否かを判定するエラー判定手段と、
前記エラー判定手段によってエラーが発生していないと判定された場合には、前記画素ブロックに基づいて復号化する復号化手段と、
前記エラー判定手段によってエラーが発生していると判定された場合には、前記符号化画像データを解析することにより、前記画素ブロックの表示位置を示す画素ブロック位置情報と、前記主画像表示領域と副画像表示領域との境界を示す領域境界情報とを生成する解析手段と、
前記画素ブロック位置情報及び前記領域境界情報を用いて前記画素ブロック中の主画像表示領域及び副画像表示領域を抽出し、前記画素ブロック中の主画像表示領域に対しては前記主画像表示領域に対して主画像コンシールメント処理を実行し、前記画素ブロック中の副画像表示領域に対しては副画像コンシールメント処理を実行するコンシールメント処理手段と
を備えることを特徴とする画像復号装置。
【請求項２】
前記副画像コンシールメント処理は、インター予測によるコンシールメント処理であることを特徴とする請求項１に記載の画像復号装置。
【請求項３】
画素ブロック単位で符号化された符号化画像データの各画素ブロックにエラーが発生しているか否かを判定するエラー判定手段と、
前記エラー判定手段によってエラーが発生していないと判定された場合には、前記画素ブロックに基づいて復号化する復号化手段と、
前記エラー判定手段によってエラーが発生していると判定された場合には、前記符号化画像データを解析することにより、前記画素ブロックの表示位置を示す画素ブロック位置情報と、前記主画像表示領域と副画像表示領域との境界を示す領域境界情報とを生成する解析手段と、
前記画素ブロック位置情報及び前記領域境界情報を用いて、前記画素ブロック内に、前記主画像表示領域が含まれているか否かを判定し、前記主画像表示領域が含まれていると判定された場合には、前記主画像表示領域に対して主画像コンシールメント処理を実行して出力する主画像コンシールメント処理手段と、
前記画素ブロック位置情報及び前記領域境界情報を用いて、前記主画像コンシールメント処理手段から出力される前記画素ブロック内に、前記副画像表示領域が含まれているか否かを判定し、前記副画像表示領域が含まれていると判定された場合には、前記副画像表示領域に対して副画像コンシールメント処理を実行する副画像コンシールメント処理手段と
を備えることを特徴とする画像復号装置。
【請求項４】
画素ブロック単位で符号化された符号化画像データの各画素ブロックにエラーが発生しているか否かを判定するエラー判定手段と、
前記エラー判定手段によってエラーが発生していないと判定された場合には、前記画素ブロックに基づいて復号化する復号化手段と、
前記エラー判定手段によってエラーが発生していると判定された場合には、前記符号化画像データを解析することにより、前記画素ブロックの表示位置を示す画素ブロック位置情報と、前記主画像表示領域と副画像表示領域との境界を示す領域境界情報とを生成する解析手段と、
前記画素ブロック位置情報及び前記領域境界情報を用いて、前記画素ブロック内に、前記主画像表示領域が含まれているか否かを判定し、前記主画像表示領域が含まれていると判定された場合には、前記主画像表示領域に対して主画像コンシールメント処理を実行して出力する主画像コンシールメント処理手段と、
前記画素ブロック位置情報及び前記領域境界情報を用いて、前記画素ブロック内に、前記副画像表示領域が含まれているか否かを判定し、前記副画像表示領域が含まれていると判定された場合には、前記副画像表示領域に対して副画像コンシールメント処理を実行して出力する副画像コンシールメント処理手段と、
前記主画像コンシールメント処理手段から出力される前記画素ブロックの前記主画像表示領域と、前記副画像コンシールメント処理手段から出力される前記画素ブロックの前記副画像表示領域とを合成する合成手段と
を備えることを特徴とする画像復号装置。
【請求項５】
前記主画像表示領域は、前記表示画面の中央部分に位置する視聴対象の映像を表示する映像ソース領域であり、前記副画像表示領域は、前記主画像表示領域の周辺に位置する静止画像を表示するレターボックス領域であることを特徴とする請求項１に記載の画像復号装置。
【発明の詳細な説明】
【技術分野】
【０００１】
本発明は、画像復号装置に関する。
【背景技術】
【０００２】
近年、画像圧縮の研究及び開発が進み、例えばＨ．２６４などの動画像符号化方式が規格化されている。このＨ．２６４符号化方式は、携帯受信端末向けデジタル放送サービスに採用が検討されている。
【０００３】
かかるＨ．２６４符号化方式では、画像データを符号化する際の単位として、マクロブロック（ＭＢ）と呼ばれる画素ブロックを採用し、画像データをマクロブロック単位で符号化した上で送信する。
【０００４】
また、例えば４：３の映像コンテンツを１６：９の動画像として送出するように、本来の映像ソースと異なるアスペクト比で画像データを送出する場合、映像ソース領域（ユーザが視聴する映像が表示される領域）とレターボックス領域（映像ソース領域の周囲に表示される黒色などの領域）を設定することにより、受信機の画角によって額縁表示にならなくすることが出来る。
【０００５】
ところで、この符号化画像データを送信する過程において、通信状態の悪化などによって、符号化画像データにエラーが発生する場合がある。従って、受信側の画像復号装置は、エラーを修復するための処理として、コンシールメント（欠陥情報の補間）処理と呼ばれるエラー画像補完を行うことが提案されている（例えば、特許文献１参照）。
【０００６】
具体的には、画像復号装置は、コンシールメント処理を行う方法として、例えばイントラ（フレーム内）予測方法とインター（フレーム間）予測方法とを用意し、マクロブロック単位毎に、いずれかの方法に切り換えながらコンシールメント処理を実行する。
【特許文献１】特開２００５−２５２５４９号公報
【発明の開示】
【発明が解決しようとする課題】
【０００７】
しかし、処理対象である同一のマクロブロック内に、映像ソース領域（ユーザが視聴する映像が表示される領域）とレターボックス領域（映像ソース領域の周囲に表示される黒色などの領域）とが含まれている場合がある。
【０００８】
かかる場合、マクロブロック単位でコンシールメント処理を実行すると、例えば映像ソース領域に表示される映像がレターボックス領域に混入するようにして表示されるおそれがあり、その結果、画質が大幅に劣化するという問題があった。
【０００９】
本発明は以上の問題点を解決するためになされたもので、映像ソース領域とレターボックス領域との境界付近における画質の劣化を低減し、画質の向上を図ることができる画像復号装置を提供することを目的とする。
【課題を解決するための手段】
【００１０】
本発明の一態様による画像復号装置は、画素ブロック単位で符号化された符号化画像データの各画素ブロックにエラーが発生しているか否かを判定するエラー判定手段と、前記エラー判定手段によってエラーが発生していないと判定された場合には、前記画素ブロックに基づいて復号化する復号化手段と、前記エラー判定手段によってエラーが発生していると判定された場合には、前記符号化画像データを解析することにより、前記画素ブロックの表示位置を示す画素ブロック位置情報と、前記主画像表示領域と副画像表示領域との境界を示す領域境界情報とを生成する解析手段と、前記画素ブロック位置情報及び前記領域境界情報を用いて前記画素ブロック中の主画像表示領域及び副画像表示領域を抽出し、前記画素ブロック中の主画像表示領域に対しては前記主画像表示領域に対して主画像コンシールメント処理を実行し、前記画素ブロック中の副画像表示領域に対しては副画像コンシールメント処理を実行するコンシールメント処理手段とを備える。
【発明の効果】
【００１１】
本発明の画像復号装置によれば、映像ソース領域とレターボックス領域との境界付近における画質の劣化を低減し、画質の向上を図ることができる。
【発明を実施するための最良の形態】
【００１２】
以下、本発明の実施の形態について図面を参照して説明する。
【００１３】
図１に、本発明の実施の形態による画像復号装置１０の構成を示す。この画像復号装置１０は、図示しない送信装置から送信されてきた符号化画像データＤ１０を復号部２０に入力する。復号部２０は、シンタックス（圧縮符号化されたデータのビット・ストリーム（データ列）の構成方法）に基づいて、符号化画像データＤ１０のビット・ストリームをマクロブロック単位で復号することにより、ＤＣＴ係数情報Ｄ２０、イントラ予測モード情報Ｄ２５又は動きベクトル情報Ｄ３０を生成する。
【００１４】
その際、復号部２０は、符号化画像データＤ１０のうち、処理対象のマクロブロックにエラーが発生しているか否かを判定する。その結果、復号部２０は、符号化画像データＤ１０のうち、処理対象のマクロブロックにエラーが発生していないと判定した場合には、ＤＣＴ係数情報Ｄ２０を逆量子化・逆ＤＣＴ部３０に出力する。
【００１５】
また、復号部２０は、処理対象のマクロブロックの予測モードがイントラ（フレーム内）予測モード又はインター（フレーム間）予測モードのいずれであるかを判定し、得られた予測モードをモード情報Ｄ４０としてスイッチＳＷに出力する。
【００１６】
これにより、スイッチＳＷは、モード情報Ｄ２０としてイントラ予測モードが与えられた場合には、その接続状態をイントラ予測部４０側に切り換え、モード情報Ｄ２０としてインター予測モードが与えられた場合には、その接続状態をインター予測部５０側に切り換える。
【００１７】
さらに、復号部２０は、処理対象のマクロブロックの予測モードがイントラ予測モードであると判定した場合には、イントラ予測モード情報Ｄ２５をイントラ予測部４０に出力する。イントラ予測部４０は、このイントラ予測モード情報Ｄ２５に基づいて、処理対象のマクロブロックに隣接するマクロブロックの画素値を用いたイントラ予測符号化を行うことにより、予測画像データD５０を生成し、これを加算部６０に出力する。
【００１８】
これに対して、復号部２０は、処理対象のマクロブロックの予測モードがインター予測モードであると判定した場合には、動きベクトル情報Ｄ３０をインター予測部５０に出力する。ところで、この画像復号装置１０は、予測に用いられる、復号化された画像データを格納するための画像バッファメモリとして、ＤＰＢ（Decoded Picture Buffer）７０を有し、インター予測部５０には、ＤＰＢ７０から１フレーム前の画像データＤ７０が与えられる。
【００１９】
インター予測部５０は、１フレーム以前の画像データＤ７０と、動きベクトル情報D３０とを用いて、イントラ予測符号化を行うことにより、予測画像データD６０を生成し、これを加算部６０に出力する。
【００２０】
逆量子化・逆ＤＣＴ部３０は、ＤＣＴ係数情報Ｄ２０に対して逆量子化及び逆ＤＣＴ（Discrete Cosine Transform：離散コサイン変換）を行うことにより、残差データＤ８０を生成し、これを加算部６０に出力する。加算部６０は、残差データＤ８０と、予測画像データＤ５０又はＤ６０とを加算することにより、元の画像データＤ９０を復元し、これをデブロックフィルタ部８０に出力する。
【００２１】
デブロックフィルタ部８０は、画像データＤ９０に対してデブロックフィルタ処理を行うことにより、画像データＤ９０のブロック歪を除去し、得られた画像データＤ１００をＤＰＢ７０に出力し格納する。ＤＰＢ７０は、所定のタイミングで、格納されている画像データＤ１１０を順次ディスプレイ９０に出力し映像を表示する。
【００２２】
ところで、復号部２０は、符号化画像データＤ１０のうち、処理対象のマクロブロックにエラーが発生していると判定した場合には、表示画面内における当該マクロブロックの位置を示す位置情報Ｄ１２０を生成し、これを映像ソースコンシールメント部１００及びレターボックスコンシールメント部１１０に出力する。
【００２３】
ここで図２に示すように、ディスプレイ９０の表示画面２００は、映像ソース領域（ユーザが視聴する映像が表示される領域）２００Ａと、レターボックス領域（映像ソース領域２００Ａの周囲に表示される黒領域）２００Ｂとを有する。
【００２４】
復号部２０は、符号化画像データＤ１０に含まれるＳＥＩ（Supplemental Enhancement Information：画像の復号に直接関係のない補足的な付加情報）のパン・スキャン情報（Pan Scan rectangle SEI Message）を用いて、表示画面２００のうち、映像ソース領域２００Ａとレターボックス領域２００Ｂとの境界を検出することにより、領域の境界の情報を示す境界情報Ｄ１３０を生成し、これを映像ソースコンシールメント部１００及びレターボックスコンシールメント部１１０に出力する。
【００２５】
映像ソースコンシールメント部１００は、与えられた位置情報Ｄ１２０及び境界情報Ｄ１３０を解析し、処理対象のマクロブロックＭＢ１０（図２）内に、映像ソース領域２００Ａのみが含まれると判定した場合には、1フレーム以前の画像データＤ７０においてマクロブロックＭＢ１０と同位置に存在するマクロブロック近傍の映像ソース領域の中から、最適なマクロブロックの画像データＤ１４０をＤＰＢ７０から読み出す。
【００２６】
映像ソースコンシールメント部１００は、このマクロブロックの画像データＤ１４０を用いて、マクロブロックＭＢ１０を形成する各画素の画素値を予測して、マクロブロックＭＢ１０の画像データＤ１５０を復元することにより、インター（フレーム間）予測によるコンシールメント処理を実行する。以下、これを映像ソースコンシールメント処理と呼ぶ。
【００２７】
この場合、映像ソースコンシールメント部１００は、このマクロブロックＭＢ１０の画像データＤ１５０を、レターボックスコンシールメント部１１０を介して、ＤＰＢ７０に出力し格納する。
【００２８】
なお、映像ソースコンシールメント処理は、インター（フレーム間）予測によるコンシールメント処理ではなく、イントラ（フレーム内）予測によるコンシールメント処理など、他の種々のコンシールメント処理を使用しても良い。
【００２９】
これに対して、映像ソースコンシールメント部１００は、処理対象のマクロブロックＭＢ２０（図２）内に、レターボックス領域２００Ｂのみが含まれると判定した場合には、与えられた位置情報Ｄ１２０及び境界情報Ｄ１３０をレターボックスコンシールメント部１１０に出力する。
【００３０】
レターボックスコンシールメント部１１０は、１フレーム以前の画像データのうち、マクロブロックＭＢ２０に対応する位置のマクロブロックの画像データＤ１６０をＤＰＢ７０から読み出す。
【００３１】
レターボックスコンシールメント部１１０は、このマクロブロックの画像データＤ１６０を、マクロブロックＭＢ２０の画像データＤ１７０としてコピーし復元することにより、インター（フレーム間）予測によるコンシールメント処理を実行する。以下、これをレターボックスコンシールメント処理と呼ぶ。
【００３２】
そして、レターボックスコンシールメント部１１０は、このマクロブロックＭＢ１０の画像データＤ１７０をＤＰＢ７０に出力し格納する。
【００３３】
ところで、処理対象のマクロブロックＭＢ３０（図２）内に、映像ソース領域２００Ａとレターボックス領域２００Ｂとが含まれ、映像ソースコンシールメント部１００が、処理対象のマクロブロックＭＢ３０（図２）内に、映像ソース領域２００Ａが含まれていると判定した場合には、位置情報D１２０及び境界情報Ｄ１３０を用いて、マクロブロックＭＢ３０のうち映像ソース領域部分を特定する。
【００３４】
映像ソースコンシールメント部１００は、予測に最適なマクロブロックの画像データＤ１４０をＤＰＢ７０から読み出す。映像ソースコンシールメント部１００は、このマクロブロックの画像データＤ１４０を用いて、マクロブロックＭＢ３０の映像ソース領域部分に対して、映像ソースコンシールメント処理を実行し、得られたマクロブロックＭＢ３０の画像データＤ１８０をレターボックスコンシールメント部１１０に出力する。
【００３５】
この場合、レターボックスコンシールメント部１１０は、位置情報Ｄ１２０及び境界情報Ｄ１３０を用いて、マクロブロックＭＢ３０の画像データＤ１８０のうち、レターボックス領域部分を特定する。
【００３６】
レターボックスコンシールメント部１１０は、１フレーム以前の画像データのうち、マクロブロックＭＢ３０に対応する位置のマクロブロックの画像データＤ１６０をＤＰＢ７０から読み出す。
【００３７】
レターボックスコンシールメント部１１０は、このマクロブロックの画像データＤ１６０を用いて、マクロブロックＭＢ３０の画像データＤ１８０のうち、レターボックス領域部分に対して、レターボックスコンシールメント処理を実行し、得られたマクロブロックＭＢ３０の画像データＤ１９０をＤＰＢ７０に出力し格納する。
【００３８】
ここで図３に、本実施の形態による画像復号処理手順ＲＴ１０を示す。この図３において、復号部２０は、送信装置から送信されてきた符号化画像データＤ１０が与えられ、画像復号処理手順ＲＴ１０に入ると、ステップＳＰ１０において、符号化画像データＤ１０のビット・ストリームをマクロブロック単位で復号することにより、ＤＣＴ係数情報Ｄ２０を生成する。
【００３９】
ステップＳＰ２０において、復号部２０は、符号化画像データＤ１０のうち、処理対象のマクロブロックにエラーが発生しているか否かを判定する。このステップＳＰ２０において否定結果が得られると、復号部２０は、ステップＳＰ３０に移って、処理対象のマクロブロックの予測モードがインター（フレーム間）予測モードであるか否かを判定する。
【００４０】
ステップＳＰ３０において肯定結果が得られると、復号部２０は、スイッチＳＷの接続状態をインター予測部５０側に切り換え、動きベクトル情報Ｄ３０をインター予測部５０に出力する。
【００４１】
インター予測部５０は、ＤＰＢ７０から与えられた１フレーム前の画像データＤ７０と、動きベクトル情報Ｄ３０とを用いて、インター予測符号化を行うことにより、予測画像データＤ６０を生成し、これを加算部６０に出力する。
【００４２】
これに対して、ステップＳＰ３０において否定結果が得られると、このことは処理対象のマクロブロックの予測モードがイントラ（フレーム内）予測モードであることを表しており、このとき復号部２０は、ステップＳＰ５０に移って、スイッチＳＷの接続状態をイントラ予測部４０側に切り換える。
【００４３】
イントラ予測部４０は、処理対象のマクロブロックに隣接するマクロブロックの画素値を用いて、イントラ予測符号化を行うことにより、予測画像データＤ５０を生成し、これを加算部６０に出力する。
【００４４】
ステップＳＰ６０において、逆量子化・逆ＤＣＴ部３０は、ＤＣＴ係数情報Ｄ２０に対して逆量子化及び逆ＤＣＴを行うことにより、残差データＤ８０を生成し、これを加算部６０に出力する。加算部６０は、残差データＤ８０と、予測画像データＤ５０又はＤ６０とを加算することにより、元の画像データＤ９０を復元し、これをデブロックフィルタ部８０に出力する。
【００４５】
ステップＳＰ７０において、デブロックフィルタ部８０は、画像データＤ９０に対してデブロックフィルタ処理を行うことにより、ブロック歪が除去された画像データＤ１００を生成し、続くステップＳＰ８０に移って、画像データＤ１００をＤＰＢ７０に格納した後、ステップＳＰ１０に戻って上述の動作を繰り返す。
【００４６】
ところで、ステップＳＰ２０において肯定結果が得られると、復号部２０は、表示画面内におけるマクロブロックの位置を示す位置情報Ｄ１２０と、領域の境界の情報を示す境界情報Ｄ１３０とを生成し、これらを映像ソースコンシールメント部１００及びレターボックスコンシールメント部１１０に与える。
【００４７】
ステップＳＰ９０において、映像ソースコンシールメント部１００は、位置情報Ｄ１２０及び境界情報Ｄ１３０を用いて、処理対象のマクロブロック内に、映像ソース領域２００Ａが含まれているか否かを判定する。
【００４８】
このステップＳＰ９０において肯定結果が得られると、映像ソースコンシールメント部１００は、ステップＳＰ１００に移って、処理対象のマクロブロックのうち、映像ソース領域部分に対して、映像ソースコンシールメント処理を実行した後、ステップＳＰ１１０に移る。
【００４９】
これに対して、ステップＳＰ９０において否定結果が得られると、映像ソースコンシールメント部１００は、処理対象のマクロブロックに対して、映像ソースコンシールメント処理を実行することなく、ステップＳＰ１１０に移る。
【００５０】
ステップＳＰ１１０において、レターボックスコンシールメント部１１０は、位置情報Ｄ１２０及び境界情報Ｄ１３０を用いて、処理対象のマクロブロック内に、レターボックス領域２００Ｂが含まれているか否かを判定する。
【００５１】
このステップＳＰ１１０において肯定結果が得られると、レターボックスコンシールメント部１１０は、ステップＳＰ１２０に移って、処理対象のマクロブロックのうち、レターボックス領域部分に対して、レターボックスコンシールメント処理を実行した後、ステップＳＰ８０に移る。
【００５２】
これに対して、ステップＳＰ１１０において否定結果が得られると、レターボックスコンシールメント部１１０は、処理対象のマクロブロックに対して、レターボックスコンシールメント処理を実行することなく、ステップＳＰ８０に移る。
【００５３】
このように本実施の形態によれば、処理対象のマクロブロック内に、映像ソース領域２００Ａとレターボックス領域２００Ｂとが含まれている場合には、当該マクロブロックのうち、映像ソース領域部分に対しては、映像ソースコンシールメント処理を実行し、レターボックス領域部分に対しては、レターボックスコンシールメント処理を実行する。
【００５４】
これにより、マクロブロック単位でコンシールメント処理内容を切り換える場合のように、例えば映像ソース領域２００Ａに表示される映像がレターボックス領域２００Ｂに混入するようにして表示されることを抑制することができる。
【００５５】
従って、映像ソース領域２００Ａとレターボックス領域２００Ｂとの境界付近における画質の劣化を低減し、画質の向上を図ることができる。
【００５６】
なお、上述の実施の形態は一例であって、本発明を限定するものではない。例えば図４に示すように、映像ソースコンシールメント部１００とレターボックスコンシールメント部１１０とを直列に接続するのではなく、これらを並列に接続し、映像ソースコンシールメント処理とレターボックスコンシールメント処理とを並行して実行しても良い。
【００５７】
この場合、映像ソースコンシールメント部１２１は、処理対象のマクロブロックの映像ソース領域部分に対して、映像ソースコンシールメント処理を実行し、得られたマクロブロックの画像データＤ２００を合成部１３０に出力する。
【００５８】
一方、レターボックスコンシールメント部１２２は、処理対象のマクロブロックのレターボックス領域部分に対して、レターボックスコンシールメント処理を実行し、得られたマクロブロックの画像データＤ２１０を合成部１３０に出力する。
【００５９】
合成部１３０は、マクロブロックの画像データＤ２００のうちの映像ソース領域部分と、マクロブロックの画像データＤ２１０のうちのレターボックス領域部分とを合成し、得られたマクロブロックの画像データＤ２２０をＤＰＢ７０に出力し格納する。
【００６０】
因みに、上述の実施の形態では、エラー判定手段として、復号部２０を用いたが、符号化画像データＤ１０のうち、処理対象の画素ブロック（マクロブロック）にエラーが発生しているか否かを判定する、他の種々のエラー判定手段を適用することができる。
【００６１】
また、上述の実施の形態では、復号化手段として、復号部２０及び逆量子化・逆ＤＣＴ部３０を用いたが、エラー判定手段によってエラーが発生していないと判定された場合には、画素ブロックを復号化する、他の種々の復号化手段を適用することができる。
【００６２】
また、上述の実施の形態では、解析手段として、復号部２０を用いたが、エラー判定手段によってエラーが発生していると判定された場合には、符号化画像データＤ１０を解析することにより、表示手段（ディスプレイ９０）の表示画面２００における画素ブロックの位置を示す画素ブロック位置情報（位置情報Ｄ１２０）を生成すると共に、表示画面に含まれる主画像表示領域（映像ソース領域２００Ａ）と副画像表示領域（レターボックス領域２００Ｂ）との境界を示す領域境界情報（境界情報Ｄ１３０）を生成する、他の種々の解析手段を適用することができる。
【００６３】
また、上述の実施の形態では、コンシールメント処理手段として、映像ソースコンシールメント部１００及びレターボックスコンシールメント部１１０を用いたが、画素ブロック位置情報及び領域境界情報を用いて、画素ブロック内に、主画像表示領域及び副画像表示領域が含まれているか否かを判定し、主画像表示領域が含まれていると判定された場合には、主画像表示領域に対して主画像コンシールメント処理（映像ソースコンシールメント処理）を実行し、画素ブロック内に、副画像表示領域が含まれていると判定された場合には、副画像表示領域に対して副画像コンシールメント処理（レターボックスコンシールメント処理）を実行する、他の種々のコンシールメント処理手段を適用することができる。
【００６４】
また、上述の実施の形態では、主画像コンシールメント処理手段として、映像ソースコンシールメント部１００を用いたが、画素ブロック位置情報及び領域境界情報を用いて、画素ブロック内に、主画像表示領域が含まれているか否かを判定し、主画像表示領域が含まれていると判定された場合には、主画像表示領域に対して主画像コンシールメント処理を実行する、他の種々の主画像コンシールメント処理手段を適用することができる。
【００６５】
また、上述の実施の形態では、副画像コンシールメント処理手段として、レターボックスコンシールメント部１１０を用いたが、画素ブロック位置情報及び領域境界情報を用いて、画素ブロック内に、副画像表示領域が含まれているか否かを判定し、副画像表示領域が含まれていると判定された場合には、副画像表示領域に対して副画像コンシールメント処理を実行する、他の種々の副画像コンシールメント処理手段を適用することができる。
【図面の簡単な説明】
【００６６】
【図１】本発明の実施の形態による画像復号装置の構成を示すブロック図である。
【図２】ディスプレイの表示画面を示す説明図である。
【図３】画像復号処理手順を示すフローチャートである。
【図４】本発明の他の実施の形態による画像復号装置の構成を示すブロック図である。
【符号の説明】
【００６７】
１０、１２０  画像復号装置
２０  復号部
３０  逆量子化・逆ＤＣＴ部
４０  イントラ予測部
５０  インター予測部
６０  加算部
９０  ディスプレイ
１００  映像ソースコンシールメント部
１１０  レターボックスコンシールメント部
１３０  合成部
２００  表示画面
２００Ａ  映像ソース領域
２００Ｂ  レターボックス領域
【図１】
2008118334.tif 000003
【図２】
2008118334.tif 000004
【図３】
2008118334.tif 000005
【図４】
2008118334.tif 000006